(57)【要約】【課題】メータの視認性を低下させることなく、メータ以外の情報を表示する画面内の空き領域を広く確保できる車両用表示装置を提供する。【解決手段】メータ画像２００の消失点が画面右の外側に位置するように設定された場合、拡がった領域Ａに空き領域が生まれる。消失点が画面左の外側に位置するように設定された場合、拡がった領域Ｃに空き領域が生まれる。消失点が画面内の中央に位置するように設定された場合、拡がった領域Ａ、Ｂ、Ｃに空き領域が生まれる。これらの空き領域に、メータ以外の情報であるコンテンツとして、それぞれ地図情報２１０、ナイトビジョン２２０、音楽情報２３０が表示される。【選択図】図４
2015066981.tif 000002
【特許請求の範囲】
【請求項１】
各種情報が画面に表示される表示部を備え、前記表示部の画面にはメータをバーグラフで表示したメータ画像を備える車両用表示装置であって、
前記表示部には、前記メータ画像が奥行き方向に延びるように表示され、前記メータ画像が奥行き方向に延びたことで前記画面に生じる空き領域に、前記メータに関する情報以外の別の情報が表示される、
ことを特徴とする車両用表示装置。
【請求項２】
前記表示部に表示される前記メータ画像が延びる奥行き方向は、入力操作に従って変化する、
ことを特徴とする請求項１に記載の車両用表示装置。
【請求項３】
前記表示部に表示される前記メータ画像が延びる奥行き方向は、前記別の情報に応じて変化する、
ことを特徴とする請求項１に記載の車両用表示装置。
【請求項４】
前記表示部に表示される前記メータ画像が延びる奥行き方向は、前記メータ画像の消失点が移動することによって変化する、
ことを特徴とする請求項２または３に記載の車両用表示装置。
【発明の詳細な説明】
【技術分野】
【０００１】
本発明は、メータをバーグラフで表示する車両用表示装置に関する。
【背景技術】
【０００２】
従来より、自動車用メータとして、円形状の計器を模擬した画像が表示されるグラフィックメータは知られている。このグラフィックメータでは、例えば中央に円形状の計器、その左右にゲージが配置される。また、グラフィックメータに新たなコンテンツを表示する際、計器を右側に移動させ、空いた左側のスペースにコンテンツを表示することが行われる。
【０００３】
この種の先行技術として、特許文献１には、円形状の計器を模擬した画像をスライドし、できたスペースに別の画像を表示することが示されている。また、特許文献２には、液晶表示器にバーグラフの画像を表示することが示されている。
【先行技術文献】
【特許文献】
【０００４】
【特許文献１】特開２０１２−００１０２９号公報
【特許文献２】特開２０１１−１９５００３号公報
【発明の概要】
【発明が解決しようとする課題】
【０００５】
しかしながら、従来の車両用表示装置では、計器の移動によって生まれるスペースが小さいので、このスペースに大きなコンテンツを表示することが困難であった。他方、計器を小さくしてスペースを確保しようとすると計器の視認性が低下してしまう。
【０００６】
本発明は、上述した事情に鑑みてなされたものであり、その目的は、メータの視認性を低下させることなく、メータ以外の情報を表示する画面内の空き領域を広く確保できる車両用表示装置を提供することにある。
【課題を解決するための手段】
【０００７】
前述した目的を達成するために、本発明に係る車両用表示装置は、下記（１）〜（４）を特徴としている。
（１）  各種情報が画面に表示される表示部を備え、前記表示部の画面にはメータをバーグラフで表示したメータ画像を備える車両用表示装置であって、
前記表示部には、前記メータ画像が奥行き方向に延びるように表示され、前記メータ画像が奥行き方向に延びたことで前記画面に生じる空き領域に、前記メータに関する情報以外の別の情報が表示される、
こと。
（２）  上記（１）の構成の車両用表示装置であって、
前記表示部に表示される前記メータ画像が延びる奥行き方向は、入力操作に従って変化する、
こと。
（３）  上記（１）の構成の車両用表示装置であって、
前記表示部に表示される前記メータ画像が延びる奥行き方向は、前記別の情報に応じて変化する、
こと。
（４）  上記（２）または（３）の構成の車両用表示装置であって、
前記表示部に表示される前記メータ画像が延びる奥行き方向は、前記メータ画像の消失点が移動することによって変化する、
こと。
【０００８】
上記（１）から（４）の構成の車両用表示装置によれば、メータ画像が奥行き方向に延びたことで画面に生じる空き領域に、メータに関する情報以外の別の情報が表示される。
【発明の効果】
【０００９】
本発明によれば、メータ画像が奥行き方向に延びたことで画面に生じる空き領域に、メータに関する情報以外の別の情報が表示される。このため、メータの視認性を低下させることなく、メータ以外の情報を表示する画面内の空き領域を広く確保できる。
【００１０】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１１】
【図１】図１は、本発明の実施形態における車両用表示装置であるグラフィックメータのハードウェアの構成を示すブロック図である。
【図２】図２は、液晶表示器のグラフィック表示画面を示す図である。
【図３】図３は、ナビゲーションスイッチがオンに操作された場合のグラフィックメータの動作手順を示すフローチャートである。
【図４】図４（Ａ）及び図４（Ｂ）は、グラフィックメータにおける通常表示と地図表示の遷移を示す図である。
【図５】図５は、ナイトビジョンスイッチがオンに操作された場合のグラフィックメータの動作手順を示すフローチャートである。
【図６】図６（Ａ）及び図６（Ｂ）は、グラフィックメータにおける通常表示とナイトビジョン表示の遷移を示す図である。
【図７】図７は、オーディオスイッチがオンに操作された場合のグラフィックメータの動作手順を示すフローチャートである。
【図８】図８（Ａ）及び図８（Ｂ）は、グラフィックメータにおける通常表示と音楽情報表示の遷移を示す図である。
【発明を実施するための形態】
【００１２】
本発明の実施の形態における車両用表示装置について図面を用いて説明する。本実施形態の車両用表示装置は、車室内のインストルメントパネルに設置されたグラフィックメータに適用される。
【００１３】
図１は実施の形態における車両用表示装置であるグラフィックメータ１００のハードウェアの構成を示すブロック図である。グラフィックメータ１００は、ＣＰＵ１１０、グラフィックＣＰＵ１３０、液晶表示器１５０及びメモリ（ＥＥＰＲＯＭ）１１７を有する。
【００１４】
ＣＰＵ１１０は、ＲＯＭ１１２、ＲＡＭ１１３及びネットワーク部（ＣＡＮ）１１５を内蔵する。ＲＯＭ１１２には、後述する制御プログラムが格納される。ＲＡＭ１１３はワークエリアとして使用される。
【００１５】
ネットワーク部１１５は、ＣＡＮ（Controller Area Network）規格に則って、通信Ｉ／Ｆ１２４を介して他の機器と通信を行い、速度、エンジン回転数、燃料量、シフト位置等の情報を入力する。また、ネットワーク部１１５は、他の機器として通信Ｉ／Ｆ１２４に接続された操作スイッチ１４０の情報を入力する。この操作スイッチ１４０には、ナビゲーションスイッチ１４２、ナイトビジョンスイッチ１４４及びオーディオスイッチ１４６が含まれる。また、ネットワーク部１１５は、通信Ｉ／Ｆ１２４を介して他の機器と通信を行い、地図情報、ナイトビジョン（暗視映像）、音楽情報等を入力する。
【００１６】
ＣＰＵ１１０には、入力インタフェース（Ｉ／Ｆ）１２２を介してイグニッションスイッチ（ＩＧＮ＋）の信号が入力される。また、ＣＰＵ１１０には、バッテリ（＋Ｂ）から電力が供給され、電源電圧Ｖｃｃ及びリセット電圧を出力する電源回路１２１が接続される。また、ＣＰＵ１１０には、走行距離と積算走行距離の表示を切り換えるＯＤＯ／ＴＲＩＰスイッチ１２６が接続される。
【００１７】
グラフィックＣＰＵ１３０は、ＣＰＵ１１０から入力される命令に従って、グラフィック要素を液晶表示器１５０の画面上に表示する。グラフィックＣＰＵ１３０には、制御プログラムが格納されたＲＯＭ１３２、及び、画素毎の表示内容を保持するフレームメモリであるＲＡＭ１３３が接続される。
【００１８】
実際には、ＣＰＵ１１０がＲＡＭ１３３に表示データを書き込み、グラフィックＣＰＵ１３０は、ＲＡＭ１３３に書き込まれた表示データを液晶表示器１５０に与えてグラフィックの描画を行う。また、グラフィックＣＰＵ１３０は、液晶表示器１５０の画面を２次元走査するための垂直同期信号及び水平同期信号を生成する。表示データは、これらの同期信号に同期したタイミングで液晶表示器１５０に与えられる。
【００１９】
液晶表示器１５０（表示部）は、液晶デバイスにより構成された多数の微小表示セルをＸ方向及びＹ方向に並べて配置されたカラーの２次元表示画面（グラフィック表示画面）を有する。液晶表示器１５０は、多数の微小表示セルの表示状態をセル毎に個別に制御することにより、２次元表示画面上に図形、文字、画像等の各種情報をグラフィカルに表示する。
【００２０】
図２は液晶表示器１５０のグラフィック表示画面を示す図である。矩形のグラフィック表示画面には、３つのメータ（計器）、シフト位置情報及び付加情報が表示される。画面中央には、メータとして、速度を指示する速度計１６０が配置される。速度計１６０は、目盛りを表すバーの上に、速度を表す数値（画面下から「２０」、「４０」、「６０」、…）が記されたバーグラフで描画される。速度の指示値はグラフの高さ（図中、網点部分）で表される。
【００２１】
速度計１６０の画面左側には、別のメータとして、エンジン回転数を指示する回転計１７０が配置される。回転計１７０は、１０００ｒｐｍを単位とする目盛りを表すバーの上に、エンジン回転数を表す数値（画面下から「１」、「２」、「３」、…）が記されたバーグラフで描画される。エンジン回転数の指示値はグラフの高さ（図中、網点部分）で表される。
【００２２】
また、速度計１６０の画面右側には、別のメータとして、燃料量を指示する燃料計１８０が配置される。燃料計１８０は、下端側を空（Ｅｍｐｔｙ）とし、上端側を満タン（Ｆｕｌｌ）とする目盛りを表すバーの上に、燃料量を表す文字（「Ｅ」、「１／２」、「Ｆ」）が記されたバーグラフで描画される。燃料量の指示値はグラフの高さ（図中、網点部分）で表される。
【００２３】
また、回転計１７０の左側には、シフト位置を表すシフト画像１９０が配置される。シフト画像１９０として、画面下方に現在のシフト位置を表す「Ｄ」の文字が、他の文字より明るくかつ大きく描画される。
【００２４】
本実施形態では、速度計１６０、回転計１７０及び燃料計１８０は、奥行き方向に延びたバーグラフで描画されている。これらの画像は、透視図法（１点透視）に則って描画される。例えば、速度計１６０の画像は、画面外の上方に消失点ｐが位置するように、描画されている。なお、回転計１７０及び燃料計１８０の消失点は、それぞれ速度計１６０の消失点ｐと僅かに異なる位置に設定されているが、同じ位置に設定されてもよい。また、これらの画像を描画する際、透視図法によらず、単に手前のものを大きくし、奥のものを小さくすることで、奥行き感をもたせてもよい。
【００２５】
また、シフト位置を表すシフト画像１９０も、速度計１６０、回転計１７０及び燃料計１８０と同じように、描画されている。
【００２６】
このように、速度計１６０、回転計１７０及び燃料計１８０、並びにシフト画像１９０が、液晶表示器１５０のグラフィック表示画面上、奥行き方向に延びるように描画される、つまり、略三角形の形状に描画されることで、画面上方の領域（特に左右の領域）には、スペース（空き領域）が生まれる。
【００２７】
即ち、消失点ｐが画面中央の外側に位置するように、速度計１６０の画像が描画された場合、図２に示すように、画面上方には、領域Ａ、領域Ｂ、領域Ｃからなる空き領域が生まれる。
【００２８】
また、消失点ｐが画面右の外側に位置するように（図２の点ｐ２参照）、設定された場合、領域Ａは拡がり、元の領域Ａと元の領域Ｂの下側の左半分とに相当する空き領域（スペース）が新たに生まれる。また、消失点ｐが画面左の外側に位置するように（図２の点ｐ１参照）、設定された場合、領域Ｃは拡がり、元の領域Ｃと元の領域Ｂの下側の右半分とに相当する空き領域が生まれる。また、消失点ｐが画面内の中央に位置するように（図２の点ｐ３参照）、設定された場合、拡がった領域Ａ、Ｂ、Ｃに空き領域が生まれる。
【００２９】
このように、消失点ｐの位置を移動させることで、画面内の空き領域が変化する。本実施形態では、画面に生じた、これらの空き領域に、メータに関する情報以外の別の情報として、地図情報、ナイトビジョン、音楽情報などのコンテンツが表示される。以後、速度計１６０、回転計１７０及び燃料計１８０、並びにシフト画像１９０を、まとめてメータ画像２００と称することにする。
【００３０】
また、グラフィック表示画面には、燃費（「Ａｖｅ ２０．５ｋｍ／ｌ」と表示）、及び積算走行距離（「Ｏｄｏ  １２３４ｋｍ」と表示）の付加情報２１５が表示される。燃費及び積算走行距離の情報は、通常時（ナビゲーション以外の時）、画面の右側に表示される。なお、積算走行距離（Ｏｄｏ）と走行距離（Ｔｒｉｐ）は切替可能である。
【００３１】
上記構成を有するグラフィックメータ１００の動作を示す。始めに、ナビゲーション時の表示動作を示す。図３はナビゲーションスイッチ１４２がオンに操作された場合のグラフィックメータ１００の動作手順を示すフローチャートである。この動作プログラムはＣＰＵ１１０内のＲＯＭ１１２に格納されており、イグニッションスイッチがオンになって電源が供給されると、ＣＰＵ１１０によって実行される。図４（Ａ）及び図４（Ｂ）はグラフィックメータ１００における通常表示と地図表示の遷移を示す図である。
【００３２】
まず、ＣＰＵ１１０は、通信Ｉ／Ｆ１２４を介して、運転データ（速度、エンジン回転数、燃料量、シフト位置等の情報）を取得し、ＥＥＰＲＯＭ１１７に格納されている複数のパーツ画像を読み出してメータ画像２００を描画し、グラフィックＣＰＵ１３０に送る（ステップＳ１）。グラフィックＣＰＵ１３０は、ＣＰＵ１１０から送られたメータ画像２００の画像データをＲＡＭ１３３に一旦格納した後、図４（Ａ）に示すように、液晶表示器１５０の画面にメータ画像２００を表示する。
【００３３】
ＣＰＵ１１０は、通信Ｉ／Ｆ１２４を介して入力される操作スイッチ１４０の情報をもとに、ナビゲーションスイッチ１４２がオンであるか否かを判別する（ステップＳ２）。ナビゲーションスイッチ１４２がオンでない場合、ＣＰＵ１１０はステップＳ２の処理を繰り返す。
【００３４】
一方、ナビゲーションスイッチ１４２がオンである場合、ＣＰＵ１１０は、図４（Ｂ）に示すように、消失点を右方向に移動させ（例えば図２の点ｐ２）、画面の右側に傾いた状態となるように、略三角形のメータ画像２００を変形させる（ステップＳ３）。ＣＰＵ１１０は、メータ画像２００が画面の右側に傾くことで生じた画面の左側のスペース（拡がった領域Ａ）に、ナビ機能を持つ地図情報２１０を表示させる（ステップＳ４）。また、このとき、ＣＰＵ１１０は、燃費及び積算走行距離の付加情報２１５を画面の左側に移動させる。
【００３５】
この後、ＣＰＵ１１０は、ナビゲーションスイッチ１４２がオフになるまで待つ（ステップＳ５）。ナビゲーションスイッチ１４２がオフになると、ＣＰＵ１１０は、図４（Ａ）に示すように、画面の左側のスペースに表示されていた地図情報２１０を消去する（ステップＳ６）。さらに、ＣＰＵ１１０は、消失点を元の位置に戻し、メータ画像２００を画面の中央の位置に戻す（ステップＳ７）。この後、ＣＰＵ１１０は本動作を終了する。
【００３６】
つぎに、ナイトビジョン時の表示動作を示す。図５はナイトビジョンスイッチ１４４がオンに操作された場合のグラフィックメータ１００の動作手順を示すフローチャートである。この動作プログラムはＣＰＵ１１０内のＲＯＭ１１２に格納されており、イグニッションスイッチがオンになって電源が供給されると、ＣＰＵ１１０によって実行される。図６（Ａ）及び図６（Ｂ）はグラフィックメータ１００における通常表示とナイトビジョン表示の遷移を示す図である。
【００３７】
まず、ＣＰＵ１１０は、通信Ｉ／Ｆ１２４を介して、運転データを取得し、ＥＥＰＲＯＭ１１７に格納されている複数のパーツ画像を読み出してメータ画像２００を描画し、グラフィックＣＰＵ１３０に送る（ステップＳ１１）。グラフィックＣＰＵ１３０は、ＣＰＵ１１０から送られたメータ画像２００の画像データをＲＡＭ１３３に一旦格納した後、図６（Ａ）に示すように、液晶表示器１５０の画面にメータ画像２００を表示する。
【００３８】
ＣＰＵ１１０は、通信Ｉ／Ｆ１２４を介して入力される操作スイッチ１４０の情報をもとに、ナイトビジョンスイッチ１４４がオンであるか否かを判別する（ステップＳ１２）。ナイトビジョンスイッチ１４４がオンでない場合、ＣＰＵ１１０はステップＳ１２の処理を繰り返す。
【００３９】
一方、ナイトビジョンスイッチ１４４がオンである場合、ＣＰＵ１１０は、図６（Ｂ）に示すように、消失点を下方向に移動させて画面内（例えば図２の点ｐ３）に設定し、画面の下側に押された状態となるように、略三角形のメータ画像２００を変形させる（ステップＳ１３）。ＣＰＵ１１０は、メータ画像２００が画面の下側に押されたことで生じた画面の上側のスペース（拡がった領域Ａ、Ｂ、Ｃ）に、ナイトビジョン（暗視映像）２２０を表示させる（ステップＳ１４）。
【００４０】
ＣＰＵ１１０は、ナイトビジョンスイッチ１４４がオフになるまで待つ（ステップＳ１５）。ナイトビジョンスイッチ１４４がオフになると、ＣＰＵ１１０は、図６（Ａ）に示すように、画面の上側のスペースに表示されていたナイトビジョン２２０を消去する（ステップＳ１６）。さらに、ＣＰＵ１１０は、消失点を元の位置に戻し、メータ画像２００を画面の中央の位置に戻す（ステップＳ１７）。この後、ＣＰＵ１１０は本動作を終了する。
【００４１】
つぎに、音楽視聴時の表示動作を示す。図７はオーディオスイッチ１４６がオンに操作された場合のグラフィックメータ１００の動作手順を示すフローチャートである。この動作プログラムはＣＰＵ１１０内のＲＯＭ１１２に格納されており、イグニッションスイッチがオンになって電源が供給されると、ＣＰＵ１１０によって実行される。図８（Ａ）及び図８（Ｂ）はグラフィックメータ１００における通常表示と音楽情報表示の遷移を示す図である。
【００４２】
まず、ＣＰＵ１１０は、通信Ｉ／Ｆ１２４を介して、運転データを取得し、ＥＥＰＲＯＭ１１７に格納されている複数のパーツ画像を読み出してメータ画像２００を描画し、グラフィックＣＰＵ１３０に送る（ステップＳ２１）。グラフィックＣＰＵ１３０は、ＣＰＵ１１０から送られたメータ画像２００の画像データをＲＡＭ１３３に一旦格納した後、図８（Ａ）に示すように、液晶表示器１５０の画面にメータ画像２００を表示する。
【００４３】
ＣＰＵ１１０は、通信Ｉ／Ｆ１２４を介して入力される操作スイッチ１４０の情報をもとに、オーディオスイッチ１４６がオンであるか否かを判別する（ステップＳ２２）。オーディオスイッチ１４６がオンでない場合、ＣＰＵ１１０はステップＳ２２の処理を繰り返す。
【００４４】
一方、オーディオスイッチ１４６がオンである場合、ＣＰＵ１１０は、図８（Ｂ）に示すように、消失点を左方向に移動させ（例えば図２の点ｐ１）、画面の左側に押された状態となるように、略三角形のメータ画像２００を変形させる（ステップＳ２３）。ＣＰＵ１１０は、メータ画像２００が画面の左側に押されたことで生じた画面の右側のスペース（拡がった領域Ｃ）に、音楽情報２３０を表示させる（ステップＳ２４）。
【００４５】
ＣＰＵ１１０は、オーディオスイッチ１４６がオフになるまで待つ（ステップＳ２５）。オーディオスイッチ１４６がオフになると、ＣＰＵ１１０は、図８（Ａ）に示すように、画面の右側のスペースに表示されていた音楽情報２３０を消去する（ステップＳ２６）。さらに、ＣＰＵ１１０は、消失点を元の位置に戻し、メータ画像２００を画面の中央の位置に戻す（ステップＳ２７）。この後、ＣＰＵ１１０は本動作を終了する。
【００４６】
本実施形態のグラフィックメータによれば、矩形のグラフィック表示画面に、奥行き方向に延びるように描画された略三角形のメータ画像が表示されるので、メータ画像の視認性を低下させることなく、コンテンツが表示されるスペースを大きく確保できる。また、略三角形のメータ画像が変形するように移動しても、メータ画像の下端側はほとんど変化しないので、運転者はメータを見失うことが無く、視認性が確保される。
【００４７】
また、消失点を移動させる、つまり奥行き方向を変更する入力操作を操作スイッチ１４０によって受け付けることで、液晶表示器１５０に表示されるメータ画像が変化する。この結果、画面内のスペースが変化するので、スペースを任意の場所に設定することができる。
【００４８】
また、コンテンツの種類に応じて、奥行き方向を変更するので、コンテンツの種類に適した表示が可能となる。また、消失点の位置を変えるだけで、奥行き方向を容易に変更することができる。
【００４９】
また、バーグラフに含まれる目盛りの値も奥行き方向に延びるように描画されるので、メータ画像全体を立体視することができ、斬新な表示となる。
【００５０】
なお、本発明は、上記実施形態の構成に限られるものではなく、本実施形態の構成が持つ機能を達成できる構成であればどのようなものであっても適用可能である。
【００５１】
例えば、上記実施形態では、ナビゲーション時、ナイトビジョン時、音楽視聴時の処理を別々に行ったが、１つの処理として、操作スイッチの情報に対応するコンテンツの種類を判別し、このコンテンツの種類に対応する位置に消失点を移動させることで、奥行き方向を変更してもよい。
【００５２】
また、コンテンツの種類としては、上記実施形態で例示したものに限られず、バックカメラの映像やアラーム情報等を挙げることができる。
【００５３】
また、上記実施形態では、奥行き方向を変更する指示として、ナビゲーションスイッチ、ナイトビジョンスイッチ、オーディオスイッチ等の状態を入力したが、コンテンツの種類によらず、消失点の位置を変更する指示を直接入力してもよい。これにより、汎用性の高い表示が可能となる。
【００５４】
また、本実施形態では、奥行き感を持たせるために、奥行き方向に延びるように、メータ画像（スライドバー及び目盛りの値を含む）が表示される場合を示したが、スライドバーだけが奥行き方向に延びるように表示され、その上に配置される目盛りの値は奥行き方向に同じ大きさのままであってもよい。これにより、例えば速度の大きい上方の数値が小さくならず、視認し易くすることもできる。
【００５５】
本発明は、車両用表示装置において、メータ以外の情報を表示する画面内の空き領域を広く確保でき、有用である。
【００５６】
ここで、上述した本発明に係る車両用表示装置の実施形態の特徴をそれぞれ以下［１］〜［４］に簡潔に纏めて列記する。
［１］  各種情報が画面に表示される表示部（液晶表示器１５０）を備え、前記表示部の画面にはメータ（速度計１６０、回転計１７０、燃料計１８０）をバーグラフで表示したメータ画像を備える車両用表示装置（グラフィックメータ１００）であって、
前記表示部には、前記メータ画像が奥行き方向に延びるように表示され、前記メータ画像が奥行き方向に延びたことで前記画面に生じる空き領域（領域Ａ、領域Ｂ、領域Ｃ）に、前記メータに関する情報以外の別の情報（地図情報２１０、付加情報２１５、ナイトビジョン２２０、音楽情報２３０）が表示される、
ことを特徴とする車両用表示装置。
［２］  前記表示部に表示される前記メータ画像が延びる奥行き方向は、入力操作に従って変化する、
ことを特徴とする［１］に記載の車両用表示装置。
［３］  前記表示部に表示される前記メータ画像が延びる奥行き方向は、前記別の情報に応じて変化する、
ことを特徴とする［１］に記載の車両用表示装置。
［４］  前記表示部に表示される前記メータ画像が延びる奥行き方向は、前記メータ画像の消失点（ｐ）が移動することによって変化する、
ことを特徴とする［２］または［３］に記載の車両用表示装置。
【符号の説明】
【００５７】
１００  グラフィックメータ
１１０  ＣＰＵ
１１２、１３２  ＲＯＭ
１１３、１３３  ＲＡＭ
１１７  ＥＥＰＲＯＭ
１２１  電源回路
１２２  入力Ｉ／Ｆ
１２４  通信Ｉ／Ｆ
１２６  ＯＤＯ／ＴＲＩＰスイッチ
１３０  グラフィックＣＰＵ
１４０  操作スイッチ
１４２  ナビゲーションスイッチ
１４４  ナイトビジョンスイッチ
１４６  オーディオスイッチ
１５０  液晶表示器
１６０  速度計
１７０  回転計
１８０  燃料計
１９０  シフト画像
２００  メータ画像
２１０  地図情報
２１５  付加情報
２２０  ナイトビジョン（暗視映像）
２３０  音楽情報
【図１】
2015066981.tif 000003
【図２】
2015066981.tif 000004
【図３】
2015066981.tif 000005
【図４】
2015066981.tif 000006
【図５】
2015066981.tif 000007
【図６】
2015066981.tif 000008
【図７】
2015066981.tif 000009
【図８】
2015066981.tif 000010